(57)【特許請求の範囲】
【請求項１】
混合円錐部（９）により互いに接続された薬包室（５）と円筒部（７）を有する銃身（３）と、前記薬包室（５）を閉鎖する為に前記銃身（３）に接続された遊底（１１）と、前記銃身（３）に接続され、前記銃身と実質的に平行に伸びている１つ以上のシリンダ（１９）と、少なくとも部分的に各シリンダ内に配置され、前記遊底（１１）を開放し、散弾銃を自動的に再装填する為に、ロッド（２３）により、前記遊底（１１）に動作可能に連結された１つ以上のピストン（２１）と、閉塞体（２５）と共に前記ピストン（２１）と一体となっている各シリンダが膨張室（１７）を規定している、各シリンダに取り付けられた閉塞体（２５）と、から成るガス作動自動滑腔散弾銃であって、
該散弾銃が、前記ピストンを作動する為に、前記薬包室（５）内で一発分の発射の際に発生するガスの一部を流出する為に、前記膨張室（１７）まで伸びているガス孔（１５）を規定しているガス孔手段（１５）を有し、
前記ガス孔（１５）が、前記円筒部（７）に沿って、前記薬包室（５）に混合円錐部（９）から混合円錐部（９）の長さ以下の距離で近接して配置された吸気口部分を有し、圧力制限弁（３１）が前記閉塞体（２５）に取り付けられていることを特徴とする散弾銃。
【請求項２】
当該遊底（１１）が回転閉塞ヘッド（１３）を含むことを特徴とする請求項１に記載の散弾銃。
【請求項３】
当該散弾銃が、当該銃身（３）にそれぞれ前記銃身の反対側に接続され、前記銃身と実質的に平行に伸びている２つのシリンダと、各々の前記シリンダ（１９）の１つに少なくとも部分的に配置され、前記遊底（１１）を開放し、散弾銃を自動的に再装填する為に、各々のロッド（２３）により、前記遊底（１１）に動作可能に連結された２つのピストン（２１）と、各々の閉塞体（２５）と共に各々のピストン（２１）と一体となっている各々の前記シリンダが当該膨張室（１７）を規定している、それぞれが各々の前記シリンダの１つに取り付けられた２つの閉塞体（２５）と、前記ピストンを作動する為に、前記薬包室（５）内で一発分の発射の際に発生するガスの一部を流出する為に、それぞれが各々の前記膨張室（１７）まで伸びている２つのガス孔（１５）を規定している当該ガス孔手段（１５）と、から成ることを特徴とする請求項１に記載の散弾銃。
【発明の詳細な説明】
【０００１】
【発明の属する技術分野】
この発明は、ガス作動自動小火器、特に散弾銃に関する。
【０００２】
【従来の技術】
自動装填の散弾銃は、一般に一発分の発射で発生され且つ銃身からシリンダへ逃げるガスの一部によって作動されるピストン・シリンダ組立体に連接された遊底機構を有している。
ガス孔は、一般に銃身の長さの中間点より前方で、銃腔の正中位置に配置されている。
【０００３】
【発明が解決しようとする課題】
自動装填のガス作動散弾銃に関連して、二、三の問題がある。
自動装填散弾銃の主な問題点は、異なったパワーの弾丸を発火させたり、最も弱い弾丸に対して確実に正しい作動をさせる必要がある点であり、ガス孔の断面が、充分な量分のガスを通過させられるようにかなり大きくなっている。ピストンの直径も、銃腔の直径よりも大きくなっていなければならない。
【０００４】
従来のガス作動散弾銃の別の問題点は、ガス孔が前方位置にあるために銃身が最小長となっていなければならない点である。しかし、より短い銃身を自動装填散弾銃が備えることは望ましいことである。
【０００５】
米国特許第４，１０２，２４２号は、銃身の幾分前方位置において銃身の両側に一対のガスシリンダを搭載したガス作動散弾銃を開示している。シリンダは、弾倉上に摺動可能に搭載された慣性錘に各ピストンを係合させている。慣性錘は、一対の作動棒によつて遊底機構に連結されている。この散弾銃の銃身は、ガスシリンダ及び関連したガス孔の前方位置によって設定された最小長さとなっていなければならない。
【０００６】
本発明の目的は、銃身の長さが必要に応じて選定され、常に完全な自動作動を確保するガス作動散弾銃を提供するものである。
【０００７】
この目的の範囲内において、本発明は、たとえ特に、例えば低パワー弾薬を発火させても、従来のガス作動散弾銃に対して改良された自動作動を行うガス作動散弾銃を提供するものである。
【０００８】
本発明の更に別の目的は、膨張室とピストンが作動不能になることがより少ないガス作動散弾銃を提供するものである。
【０００９】
【課題を解決するための手段】
これらの目的及び以下で明らかになる他の目的は、銃尾によって閉鎖される薬包室と併合される円筒部分を形成した銃身と；薬包室に最も近くに配置され且つ自動的に小火器を再装填するために銃尾を開放するようになっているピストンを作動させるべく一発分の発射で発生されるガスの一部を吸入するガス孔とから構成されたガス作動自動小火器によって達成される。
【００１０】
更に別の特徴や効果も、添付図面の非限定的な例によって図解されているだけの本発明の好適であるが排他的でない実施例の説明から明らかになる。
【００１１】
【発明の実施の形態】
図を参照にすると、一般に符号１で示されているガス作動散弾銃は、円錐部９によって銃身の円筒部７に薬包室５を接続した銃身３を有している。銃尾１１は、本質的に公知の状態で銃身に形成されたガス孔から到達するガスからエネルギを受け取る運動システムによって作動される。この例では、滑らかな銃腔の散弾銃は、例えばイタリア特許第１，１７２，７９５号や対応したヨーロッパ特許第０１２８１２５号やこの同じ出願人の名での米国特許第４，６０４，９４２号に記載された型の回転ヘッド１３を備えた銃尾１１を有している。簡潔のために、これら先の特許において詳細に記載された実質的に公知の銃尾１１の作動については、ここでは繰り返し述べない。しかし、銃尾のいずれの他の型も本発明に係る武器に使用され得るものであることは明らかである。
【００１２】
散弾銃１は、円錐部９に最も近い位置で銃身３の円筒部７に配置され且つ武器の銃身３に組込まれたシリンダ１９内に形成された膨張室１７に銃身３の銃腔を接続するようになっている少なくても一つのガス孔１５を有している。
膨張室１７は、銃尾１１に作用する作動ロッド２３が組込まれ且つシリンダ１９内で摺動できるピストン２１によって一端が形成され、また他端が閉塞体２５によって形成されている。
【００１３】
閉塞体２５は、シリンダ１９に形成された対応ねじ２７に係合するねじ付き円筒体によって構成されている。円筒体は、ピストン２１の端に当接する突起２９を有している。閉塞体２５は、更にスプリング３７と対照的に移動できるボール３５によって閉じられる穴３３によって構成された圧力制限弁３１も有している。
【００１４】
図示例では、本発明の散弾銃は、有利なことには、図３に示すように銃身３と弾倉３９との間において２つのシリンダ１９を両側に配置している。しかし、特定の要望や武器の型に応じて単一シリンダを使用することも可能である。
【００１５】
本発明の散弾銃の作動は次のようになっている。
【００１６】
図１において、銃尾が閉じられ、銃身内に薬包４１を、また膨張室１７を空にして発火準備のできたアイドル状態の小火器が図示されている。
【００１７】
発射で発生される小部分のガスは、ピストン２１を後方に移動させながら（図１と図２を参照にすると左へ）、ガス孔１５を通って膨張室１７に入り、ピストン２１は、図２に図示の如く開放するようにロッド２３によって銃尾１１を押す。過度な圧力が生じれば、圧力制限弁３１によって吸収される。図２は、後方に移動する銃尾と銃身３を離れる薬包４１とを示している。銃尾と装填システムの作動は、実質的に公知であり、ここでは説明しない。銃尾を閉じ、小火器を装填し、供給するシステムは、必要に応じて図示例と異なったものにできることも明白である。
【００１８】
本発明の散弾銃は、添付の特許請求の範囲の技術的範囲内に全てが入る幾つかの改造と変更を受け得るもので、全ての詳細は技術的に等しいエレメントと代替され得る。
【００１９】
使用素材及び寸法は、勿論必要や当業界の状況に応じていずれのものでもよい。
どの特許請求の範囲にかかげられた技術的特長も、参照符号によってフォローされている所では、それら参照符号は、特許請求の範囲の理解性を高める唯一の目的のために包含されており、従って、そのような参照符号は、それら符号によって例で識別された各エレメントの技術範囲にいかなる限定的な効果をも及ばさないものである。
【００２０】
【発明の効果】
本発明は、薬包室近くへのガス孔の特徴的配置のおかげで、必要に応じていかなる銃身長さも備え得る散弾銃を提供することで意図した目標や目的を達成することが実際に観察された。
【００２１】
本発明の別の効果は、例え最も弱い薬包に対しても優れた作動を確保しつつ、圧力が最高の時にガスが取り込まれることである。
【００２２】
別の重要な効果は、ガスシリンダが従来のシリンダよりも実質的により小径となっている点である。実際に本発明のガスシリンダの直径は、在来のものの約半分であり、これによって、結果的にシリンダとピストンの作動不良を低減し且つ薬包のチャージからエネルギをより少なく引きだし、薬包室から取り出されるガス分量を低減する。このことで、射撃パターンでの望ましくない結果も低減する。
【００２３】
更に、一発発射すると、散弾銃の反衡は、ピストン径を縮減したので遊底に最初のうちはピストンの推力に対比させる。このことは、遊底の開放に遅れを生じさせ、この遅れは、回転遊底ヘッドによって起こされる遅れに付加される。小火器の作動は、かくして、特に厚紙弾の数発分の弾薬を使う際に大幅に改善されることになる。
【図面の簡単な説明】
【図１】銃身が閉鎖され且つ薬包が銃身内に在る状態で図示された本発明に係る散弾銃の一部分の部分長手断面側面図である。
【図２】銃尾が後方に移動しており且つ薬包が動き出ている状態の、図１と同様な図である。
【図３】散弾銃の部分断面正面図である。
【図４】本発明に係る散弾銃の展開側面図である。
【符号の説明】
１…散弾銃                    ３…銃身
５…薬包室                    ７…円筒部
９…円錐部                  １１…銃尾
１３…回転ヘッド              １５…ガス孔
１７…膨張室                  １９…シリンダ
２１…ピストン                ２３…作動ロッド
２５…閉塞体                  ２７…ねじ
２９…突起                    ３１…圧力制限弁
３３…穴                      ３５…ボール
３７…スプリング              ３９…弾倉
４１…薬包
【図１】
0003935544.tif 000002
【図２】
0003935544.tif 000003
【図３】
0003935544.tif 000004
【図４】
0003935544.tif 000005